(57)【特許請求の範囲】
【請求項１】
冷房運転及び暖房運転の少なくとも一方が可能な空気調和機であって、
前記空気調和機の設定温度の入力を受け付ける入力部と、
前記設定温度を表示する表示部と
を備え、
前記入力部は、互いに重複しない複数の期間の各々における前記設定温度および前記複数の期間の設定情報の入力を受け付け、
前記複数の期間は、睡眠期間が区分された第１から第３の区間であり、
前記第１の区間は、前記睡眠期間の開始時刻である就寝時刻を含む区間であり、
前記第３の区間は、前記睡眠期間の終了時刻である起床時刻を含む区間であり、
前記第２の区間は、前記第１の区間と前記第３の区間との間の区間であり、
前記第１から第３の区間の設定情報は、前記就寝時刻、前記第１の区間の継続時間又は終了時刻、前記起床時刻及び前記第３の区間の継続時間又は開始時刻に関する情報である、空気調和機。
【請求項２】
前記表示部は、前記第１の区間における前記設定温度、前記就寝時刻及び前記第１の区間の継続時間又は終了時刻の設定に用いられる第１の表示画面を表示し、前記第２の区間における前記設定温度の設定に用いられる第２の表示画面を表示すると共に、前記第３の区間における前記設定温度及び前記第３の区間の継続時間又は開始時刻の設定に用いられる第３の表示画面を表示し、
前記第１の表示画面には、前記第１の区間における前記設定温度の推奨値及び前記第１の区間の継続時間又は終了時刻の推奨値が表示され、
前記第２の表示画面には、前記第２の区間における前記設定温度の推奨値が表示され、
前記第３の表示画面には、前記第３の区間における前記設定温度の推奨値及び前記第３の区間の継続時間又は開始時刻の推奨値が表示される請求項１に記載の空気調和機。
【請求項３】
前記第１の区間における前記設定温度の推奨値、前記第１の区間の継続時間の推奨値、前記第２の区間における前記設定温度の推奨値、前記第３の区間における前記設定温度の推奨値及び前記第３の区間の継続時間の推奨値は、睡眠期間中の深部体温の変化及び睡眠周期に基づき、季節に応じて決められている請求項２に記載の空気調和機。
【請求項４】
前記第１の区間における前記設定温度の推奨値は、前記第２の区間における前記設定温度の推奨値よりも低く、
前記第２の区間における前記設定温度の推奨値は、前記第３の区間における前記設定温度の推奨値以下であり、
前記第１の区間の継続時間の推奨値は前記睡眠周期よりも長く、前記第３の区間の継続時間は前記睡眠周期よりも短い請求項３に記載の空気調和機。
【請求項５】
就寝者の表面温度を検出する表面温度センサと、
冷房運転又は暖房運転の制御を行う制御部と
を備え、
前記制御部は、前記表面温度センサの出力に基づき、前記就寝者の皮膚の露出面積を検出し、前記露出面積に応じて前記露出面積の検出時が属する区間における前記設定温度を調整する請求項１に記載の空気調和機。
【請求項６】
請求項１から５のいずれか１項に記載の空気調和機と、
加湿運転又は送風運転が可能な加湿器と、
寝床内の加温運転が可能な寝具と
を備え、
前記空気調和機は、前記加湿器及び前記寝具と通信が可能であり、
前記空気調和機は、前記第１から第３の区間の設定情報をそれぞれ前記加湿器及び前記寝具に送信し、
前記加湿器は、前記第１から第３の区間の設定情報に基づき、前記空気調和機と連動して加湿運転又は送風運転をし、
前記寝具は、前記第１から第３の区間の設定情報に基づき、前記空気調和機と連動して加温運転をする空気調和システム。
【発明の詳細な説明】
【技術分野】
【０００１】
本発明は、冷房機能及び暖房機能の少なくとも一方を有する空気調和機及びこの空気調和機を備えた空気調和システムに関する。
【背景技術】
【０００２】
従来、睡眠期間中の空調制御において就寝者に快適な睡眠環境を提供することが課題となっている。特許文献１では、就寝時刻から起床時刻までの間に室内の温度を体温リズムに応じて変化させる空気調和機が記載されている。詳細には、温冷感の指標であるＰＭＶ（Predicted  Mean  Vote：予測平均申告）を用いた空調制御において、就寝時刻から睡眠期間中のある時刻ｔまでの間は、温熱環境をＰＭＶ＝０であるニュートラルからＰＭＶ＜−０．５である冷感側まで徐々に下降させ、時刻ｔから起床時刻までの間は、ＰＭＶ＜−０．５である冷感側からＰＭＶ＝０であるニュートラルまで徐々に上昇させている。
【先行技術文献】
【特許文献】
【０００３】
【特許文献１】特開平９−１８９４４２号公報
【発明の概要】
【発明が解決しようとする課題】
【０００４】
特許文献１では、睡眠期間中の空調制御は、温冷感の指標であるＰＭＶ値に基づいている。そのため、ユーザによる設定の自由度は低く、温冷感の個人差又は着衣量の個人差を室温の設定に反映させることが難しい。
【０００５】
本発明は、上記に鑑みてなされたもので、睡眠期間中の空調制御における温度設定の自由度が高い空気調和機を得ることを目的とする。
【課題を解決するための手段】
【０００６】
上述した課題を解決し、目的を達成するために、本発明に係る空気調和機は、冷房運転及び暖房運転の少なくとも一方が可能な空気調和機であって、空気調和機の設定温度の入力を受け付ける入力部と、設定温度を表示する表示部とを備え、入力部は、互いに重複しない複数の期間の各々における設定温度および複数の期間の設定情報の入力を受け付ける。また、複数の期間は、睡眠期間が区分された第１から第３の区間であり、第１の区間は、睡眠期間の開始時刻である就寝時刻を含む区間であり、第３の区間は、睡眠期間の終了時刻である起床時刻を含む区間であり、第２の区間は、第１の区間と第３の区間との間の区間である。また、第１から第３の区間の設定情報は、就寝時刻、第１の区間の継続時間又は終了時刻、起床時刻及び第３の区間の継続時間又は開始時刻に関する情報である。
【発明の効果】
【０００７】
この発明によれば、睡眠期間中の空調制御における温度設定の自由度が高い空気調和機を提供することができる、という効果を奏する。
【図面の簡単な説明】
【０００８】
【図１】実施の形態１に係る空気調和機の構成を示すブロック図
【図２】実施の形態１に係る空気調和機の設置例を示す模式図
【図３】実施の形態１におけるリモートコントローラの構成を示すブロック図
【図４】実施の形態１におけるリモートコントローラの外観の一例を示す平面図
【図５】実施の形態１において就寝時から起床時までの就寝者の状態の変化の一例を示す図
【図６】実施の形態１における睡眠期間中の室温の設定を説明するための図
【図７】実施の形態１において冷房運転を行った場合の室温の変化の一例を示す図
【図８】実施の形態１においてリモートコントローラの記憶部に記憶された設定情報の推奨値の一例を示すテーブル
【図９】実施の形態１においてリモートコントローラの記憶部に記憶された就寝時刻及び起床時刻のそれぞれのデフォルト値の一例を示すテーブル
【図１０】実施の形態１においてリモートコントローラによる睡眠運転の設定処理を示すフローチャート
【図１１】実施の形態１において睡眠運転の設定に用いられる表示画面の一例を示す図
【図１２】実施の形態１において第１の区間における設定温度及び第１の区間の設定情報を設定する処理を示すフローチャート
【図１３】実施の形態１において第１の区間における設定温度及び第１の区間の設定情報の設定に用いられる表示画面の一例を示す図
【図１４】実施の形態１において第２の区間における設定温度を設定する処理を示すフローチャート
【図１５】実施の形態１において第２の区間における設定温度の設定に用いられる表示画面の一例を示す図
【図１６】実施の形態１において第３の区間における設定温度及び第３の区間の設定情報を設定する処理を示すフローチャート
【図１７】実施の形態１において第３の区間における設定温度及び第３の区間の設定情報の設定に用いられる表示画面の一例を示す図
【図１８】実施の形態１に係る空気調和機の睡眠運転の動作を示すフローチャート
【図１９】実施の形態２において室内機の記憶部に記憶された設定温度の推奨値の一例を示すテーブル
【図２０】実施の形態２におけるリモートコントローラの外観の一例を示す平面図
【図２１】実施の形態２においてオート睡眠運転の動作を示すフローチャート
【図２２】実施の形態３に係る空気調和システムの構成を示すブロック図
【図２３】実施の形態３に係る空気システムの設置例を示す模式図
【発明を実施するための形態】
【０００９】
以下に、本発明に係る空気調和機及び空気調和システムの実施の形態を図面に基づいて詳細に説明する。なお、この実施の形態によりこの発明が限定されるものではない。
【００１０】
実施の形態１．
図１は、実施の形態１に係る空気調和機の構成を示すブロック図、図２は、実施の形態１に係る空気調和機の設置例を示す模式図である。
【００１１】
図１及び図２に示すように、実施の形態１に係る空気調和機１は、室内機２と、室内機２と冷媒配管３により接続される室外機４と、室内機２と無線通信が可能なリモートコントローラ５とを備える。図示例では、室内機２は寝具６が設置された室内、すなわち寝室７内に設置されている。空気調和機１は、冷房運転及び暖房運転を含む空調運転が可能である。
【００１２】
室内機２は、室内の温度及び湿度を検出する温湿度センサ８と、室内の被検出体の表面温度を検出する表面温度センサ９と、リモートコントローラ５との間で無線通信を行う通信部１０と、温湿度センサ８、表面温度センサ９及び通信部１０に接続され、空調運転の制御を含む各種の制御を行う制御部１１とを備える。また、室内機２は、計時情報を制御部１１に出力する計時部１２とを備える。なお、図１では、冷凍サイクルを含む空調運転の実現に必要な構成の図示は省略されている。
【００１３】
温湿度センサ８は、温度センサ及び湿度センサを有する。温湿度センサ８は、周期的に温度及び湿度を検出する。
【００１４】
表面温度センサ９は、周期的に室内の被検出体の表面温度を検出する。表面温度センサ９は、図示しない複数のサーモパイルを有する赤外線センサを用いて構成される。表面温度センサ９は、この赤外線センサを回転駆動することで温度検出範囲を走査し、赤外線センサの出力を用いて温度検出範囲の熱画像データを生成する。温度検出範囲内の被検出体には、人体、床面、壁面及び寝具６が含まれる。表面温度センサ９を用いることにより、室内における人の有無の判定、並びに室内に人が存在する場合には人の位置の特定及び人の表面温度の検出が可能となる。
【００１５】
通信部１０は、無線通信用の送受信装置である。通信部１０は、リモートコントローラ５との間でデータの送受信を行う。
【００１６】
計時部１２は、リアルタイムクロックであり、計時情報を制御部１１に出力する。計時情報は、月、日、時、分及び秒の情報である。
【００１７】
制御部１１は、制御に必要な演算を実行する演算部１１ａと、演算に用いられるデータを記憶する記憶部１１ｂとを備える。制御部１１は、制御回路であり、マイクロコンピュータにより実現される。すなわち、演算部１１ａはプロセッサであり、記憶部１１ｂはメモリである。メモリは半導体メモリが一般的である。プロセッサはメモリに記憶されたプログラムを実行し、プログラムに記載された制御方法を実行する。メモリには、空気調和機１の設定情報、温湿度センサ８の出力データ及び表面温度センサ９の出力データが記憶される。
【００１８】
制御部１１は、空気調和機１の設定情報と温湿度センサ８の出力データと表面温度センサ９の出力データとに基づき、空調運転を制御する。
【００１９】
図３は、リモートコントローラ５の構成を示すブロック図、図４は、リモートコントローラ５の外観の一例を示す平面図である。
【００２０】
図３に示すように、リモートコントローラ５は、空気調和機１の設定情報の入力を受け付ける入力部１５と、設定情報の表示が可能な表示部１６と、室内機２との間で無線通信を行う通信部１７と、入力部１５、表示部１６及び通信部１７の制御を行う制御部１８とを備える。また、リモートコントローラ５は、制御部１８に計時情報を出力する計時部１９とを備える。リモートコントローラ５は、空調制御端末であり、空気調和機１の設定情報の入力を受け付ける設定部である。
【００２１】
入力部１５は、複数のボタン２０を有する。複数のボタン２０は機械式のボタンである。ボタン２０を操作することで、空気調和機１の設定情報の入力が可能である。
【００２２】
図４では、複数のボタン２０の例として、暖房ボタン２０ａ、冷房ボタン２０ｂ、送風ボタン２０ｃ、自動ボタン２０ｄ、停止ボタン２０ｅ、温度ボタン２０ｆ、湿度ボタン２０ｇ、睡眠ボタン２０ｈ、寝つきボタン２０ｉ、睡眠中ボタン２０ｊ、起床ボタン２０ｋ、確定ボタン２０ｐ及び変更ボタン２０ｑが示されている。
【００２３】
ここで、暖房ボタン２０ａは暖房運転の選択を受け付けるためのボタン、冷房ボタン２０ｂは冷房運転の選択を受け付けるためのボタン、送風ボタン２０ｃは送風運転の選択を受け付けるためのボタン、自動ボタン２０ｄは自動運転の選択を受け付けるためのボタン、停止ボタン２０ｅは運転の停止を受け付けるためのボタン、温度ボタン２０ｆは設定温度の変更を受け付けるためのボタン、湿度ボタン２０ｇは設定湿度の変更を受け付けるためのボタンである。睡眠ボタン２０ｈ、寝つきボタン２０ｉ、睡眠中ボタン２０ｊ、起床ボタン２０ｋ、確定ボタン２０ｐ及び変更ボタン２０ｑについては後述する。
【００２４】
表示部１６は、液晶表示パネルが一般的である。通信部１７は、無線通信用の送受信装置である。通信部１７は、室内機２の通信部１０との間でデータの送受信を行う。
【００２５】
制御部１８は、制御に必要な演算を実行する演算部１８ａと、演算に用いられるデータを記憶する記憶部１８ｂとを備える。制御部１８は、制御回路であり、マイクロコンピュータにより実現される。すなわち、演算部１８ａはプロセッサであり、記憶部１８ｂはメモリである。メモリは半導体メモリが一般的である。プロセッサはメモリに記憶されたプログラムを実行し、プログラムに記載された制御方法を実行する。
【００２６】
また、計時部１９は、リアルタイムクロックであり、計時情報を制御部１８に出力する。計時情報は、月、日、時、分及び秒の情報である。
【００２７】
ここで、睡眠状態について説明する。図５は、就寝時から起床時までの就寝者の状態の変化の一例を示す図である。横軸は時間を表す。具体的には、就寝者の睡眠状態の変化と、就寝者の体内の深部体温の変化と、就寝者の体動の変化とを示している。睡眠状態は実線でステップ状に示され、深部体温は点線で示され、体動は棒線で示されている。深部体温としては直腸体温が代表的である。体動を示す棒線の高さは体動の大きさを相対的に示している。
【００２８】
一般に、睡眠は、眠りの浅いＲＥＭ（Rapid  Eye  Movement）睡眠と、眠りの深い非ＲＥＭ睡眠とに大別される。ＲＥＭ睡眠中は、臓器及び器官が活発に活動し、特に眼球が高速で運動し、拍動の増加、血圧の上昇及び発汗量の上昇が起きる。非ＲＥＭ睡眠中は、体の緊張がほぐれリラックス状態となり、拍動の低下、血圧の低下及び発汗量の減少が起きる。非ＲＥＭ睡眠は、眠りの浅い状態の順に、「睡眠深度１」、「睡眠深度２」、「睡眠深度３」及び「睡眠深度４」に分類される。以下では、「睡眠深度１，２」の睡眠を「浅睡眠」、「睡眠深度３，４」の睡眠を「深睡眠」という。
【００２９】
就寝後、睡眠状態は、「睡眠深度１」、「睡眠深度２」、「睡眠深度３」、「睡眠深度４」の順に睡眠が深くなるように移行し、その後、「睡眠深度３」、「睡眠深度２」、「睡眠深度１」、ＲＥＭ睡眠の順に睡眠が浅くなるように移行する。その後、非ＲＥＭ睡眠とＲＥＭ睡眠とが交互に繰り返される。このような睡眠サイクルの周期、すなわちヒトの睡眠周期は通常約９０分である。
【００３０】
また、睡眠状態の変化は、概日リズムに支配される深部体温の変化と関係している。ヒトの深部体温は、睡眠を促すように睡眠開始後に低下し、その後最低温度に到達した後、上昇に転ずる。図示例では、深部体温は、睡眠開始直前に一旦上昇した後に、睡眠状態が深くなるにつれて徐々に下降し、睡眠状態が「睡眠深度４」から「睡眠深度３」への移行時期に上昇に転じ、その後は覚醒に向かって徐々に上昇する。
【００３１】
一般に、睡眠前半は眠りが深く、室内空間の温熱環境の変化に対する感覚が鈍く、一方で体温調節機能が働く。このため、気流又は温湿度のような外的な刺激による中途覚醒が生ずる可能性が低い。これに対し、睡眠後半は眠りが浅くなり、「睡眠深度３，４」になることがあまりなくなり、外的な刺激に反応しやすくなる。
【００３２】
また、体動の頻度は睡眠状態と関係している。一般に、深睡眠中及びＲＥＭ睡眠中の体動の頻度は低く、浅睡眠中の体動の頻度は高くなる。
【００３３】
このように、睡眠状態の変化は深部体温の変化と関係していることから、一般に、就寝者に快適な睡眠環境を提供するためには、睡眠中の室内の温度を深部体温の変化を助長するように設定するとよい。
【００３４】
具体的には、睡眠開始時は、ユーザが快適と感ずる温度よりも室内の温度を下げ、放熱を促進し、深部温度を低下させるとよい。これにより、睡眠を促進することが可能となる。その後は、睡眠開始時よりも室内の温度を上げるとよい。これにより、寝冷えが抑制され、特に冷房運転時には温度刺激が抑制される。さらに起床前には、室内の温度を維持し又はさらに上げることで深部温度の上昇を助長する。
【００３５】
そこで、実施の形態１では、設定により決まる就寝時刻から設定により決まる起床時刻までの期間である睡眠期間を３つの区間に区分し、区間ごとに空調制御を行う。睡眠期間は、通常の冷房運転モード又は暖房運転モードとは異なる睡眠運転モードが実施される期間である。
【００３６】
また、実施の形態１では、設定温度が区間ごとに個別に設定可能であり、さらに区間の設定情報も設定可能な構成とする。
【００３７】
図６は、睡眠期間中の室温の設定を説明するための図である。図６に示すように、睡眠期間は３つの区間である第１から第３の区間に区分される。
【００３８】
第１の区間は、就寝時刻を含む就寝直後の期間である。就寝時刻は睡眠期間の開始時刻である。第２の区間は、第１の区間に続く期間である。第３の区間は、第２の区間に続く期間であり、起床時刻を含む起床直前の期間である。起床時刻は睡眠期間の終了時刻である。
【００３９】
第１の区間は、第１の区間の開始時刻である就寝時刻ｔ１と、第１の区間の長さである第１の区間の継続時間ｕ１とで決まる。なお、時刻ｔ２は第１の区間の終了時刻である。また、第１の区間における設定温度はＴ１である。就寝時刻ｔ１、継続時間ｕ１及び設定温度Ｔ１は、ユーザがリモートコントローラ５から入力可能である。
【００４０】
第３の区間は、第３の区間の終了時刻である起床時刻ｔ４と、第３の区間の長さである第３の区間の継続時間ｕ２とで決まる。なお、時刻ｔ３は第３の区間の開始時刻である。また、第３の区間における設定温度はＴ３である。起床時刻ｔ４、継続時間ｕ２及び設定温度はＴ３は、ユーザがリモートコントローラ５から入力可能である。
【００４１】
第２の区間は、第１の区間及び第３の区間を設定することで決まる。第２の区間の開始時刻は時刻ｔ２、第２の区間の終了時刻は時刻ｔ３である。第２の区間における設定温度はＴ２である。設定温度Ｔ２は、ユーザがリモートコントローラ５から入力可能である。
【００４２】
上述のように、設定温度は区間ごとに個別に設定可能であり、区間の設定情報も設定可能であるが、一方で、これらの設定に対して、睡眠中の深部体温の変化を考慮した場合の設定の推奨値を決めておくことができる。
【００４３】
ここで、睡眠中の深部体温の変化を考慮した場合の室温の設定の推奨例について説明する。まず、上記した睡眠中の深部体温の変化を考慮すると、季節にかかわらず、第１から第３の区間の設定温度は、Ｔ１＜Ｔ２≦Ｔ３の関係を満たすように設定することが推奨される。
【００４４】
夏季における冷房運転の場合、設定情報の推奨例は次の通りである。第１の区間の継続時間ｕ１は３時間、第１の区間の設定温度Ｔ１は２７℃が推奨される。夏季には、寝つきの３時間に放熱を促進することで、就寝者は深い眠りにつくことができる。
【００４５】
第２の区間の設定温度Ｔ２は第１の区間の設定温度Ｔ１よりも高く、かつ設定温度Ｔ２と設定温度Ｔ１との差は０．５℃以上かつ１℃以下が推奨される。設定温度Ｔ２を設定温度Ｔ１よりも高くすることで、寝冷えが抑制される。
【００４６】
第３の区間の継続時間ｕ３は３０分が推奨される。第３の区間の設定温度Ｔ３は、第２の区間の設定温度Ｔ２と同じか、又は第２の区間の設定温度Ｔ２よりも高くかつ第２の区間の設定温度Ｔ２との温度差が１℃以下であることが推奨される。これは就寝者が寝苦しくならないようにし、かつ就寝者の目覚めをよくするためである。なお、図７には、このような冷房運転を行った場合の室温の変化の一例を示している。
【００４７】
冬季における暖房運転の場合、第１の区間の継続時間ｕ１は３０分、第１の区間の設定温度Ｔ１は１７℃が推奨される。冬季には、睡眠の初期に室内を暖めれば十分であり、長く室内を暖めると、放熱が抑制され、就寝者が深い眠りを得るという観点からは逆効果である。
【００４８】
第２の区間の設定温度Ｔ２は第１の区間の設定温度Ｔ１よりも高く、設定温度Ｔ２と設定温度Ｔ１との差は０．５℃以上かつ１℃以下が推奨される。設定温度Ｔ２を設定温度Ｔ１よりも高くすることで、寝冷えが抑制される。
【００４９】
第３の区間の継続時間ｕ３は３０分が推奨される。第３の区間の設定温度Ｔ３は、第２の区間の設定温度Ｔ２と同じか、又は第２の区間の設定温度Ｔ２よりも高くかつ第２の区間の設定温度Ｔ３が第２の区間との温度差が１℃以下であることが推奨される。これは体温上昇を助長するとともに、部屋全体を暖めることで就寝者が目覚め後に寝具６から出やすくなるようにするためである。
【００５０】
上記した推奨例では、第１の区間の継続時間ｕ１は第３の区間の継続時間ｕ２よりも長い。また、第１の区間の継続時間ｕ１は睡眠周期よりも長く、第３の区間の継続時間ｕ２は睡眠周期よりも短い。
【００５１】
リモートコントローラ５の記憶部１８ｂには、設定温度Ｔ１、継続時間ｕ１、設定温度Ｔ２、設定温度Ｔ３及び継続時間ｕ２の推奨値に関する情報が予め記憶されている。推奨値に関する情報は、夏季における冷房運転と冬季における暖房運転とに対してそれぞれ与えられる。ここで、夏季及び冬季は、夏季に当たる月と冬季に当たる月を定義することで決められる。また、以下では、夏季における暖房運転及び冬季における冷房運転についてはユーザにより選択されないものとして説明から除外する。
【００５２】
図８は、リモートコントローラ５の記憶部１８ｂに記憶された設定情報の推奨値の一例を示すテーブルである。図８では、夏季における冷房運転の場合には、設定温度Ｔ１、継続時間ｕ１、設定温度Ｔ２、設定温度Ｔ３及び継続時間ｕ２のそれぞれの推奨値は、２７℃、１８０分、２７．５℃、２８℃及び３０分である。また、冬季における暖房運転の場合には、設定温度Ｔ１、継続時間ｕ１、設定温度Ｔ２、設定温度Ｔ３及び継続時間ｕ２のそれぞれの推奨値は、１７℃、３０分、１７．５℃、１８℃及び３０分である。
【００５３】
また、記憶部１８ｂには、就寝時刻ｔ１及び起床時刻ｔ４のデフォルト値に関する情報が予め記憶されている。
【００５４】
図９は、リモートコントローラ５の記憶部１８ｂに記憶された就寝時刻及び起床時刻のそれぞれのデフォルト値の一例を示すテーブルである。図９では、就寝時刻ｔ１のデフォルト値は「２２：００」であり、起床時刻ｔ４のデフォルト値は「６：００」である。これらのデフォルト値は予め決められた値である。
【００５５】
ここで、図４に示す睡眠ボタン２０ｈ、寝つきボタン２０ｉ、睡眠中ボタン２０ｊ及び起床ボタン２０ｋについて説明する。
【００５６】
第１のボタンである寝つきボタン２０ｉは、第１の区間における設定温度Ｔ１及び第１の区間の設定情報の入力を受け付けるためのボタンである。ここで、第１の区間の設定情報は、第１の区間の開始時刻である就寝時刻ｔ１と、第１の区間の長さである第１の区間の継続時間ｕ１である。
【００５７】
第２のボタンである睡眠中ボタン２０ｊは、第２の区間における設定温度Ｔ２の入力を受け付けるためのボタンである。
【００５８】
第３のボタンである起床ボタン２０ｋは、第３の区間における設定温度Ｔ３及び第３の区間の設定情報の入力を受け付けるためのボタンである。ここで、第３の区間の設定情報は、第３の区間の終了時刻である起床時刻ｔ４と、第３の区間の長さである第３の区間の継続時間ｕ２である。
【００５９】
第４のボタンである睡眠ボタン２０ｈは、睡眠期間中の設定情報に基づく空気調和機１の運転の設定の入力を受け付けるためのボタンである。なお、以下では、睡眠期間中の設定情報に基づく空気調和機１の運転を「睡眠運転」という。また、冷房の睡眠運転を「睡眠冷房運転」、暖房の睡眠運転を「睡眠暖房運転」という。
【００６０】
次に、実施の形態１の動作について説明する。まず、図１０及び図１１を参照して、睡眠運転の設定方法について説明する。図１０は、リモートコントローラ５による睡眠運転の設定処理を示すフローチャート、図１１は、睡眠運転の設定に用いられる表示画面の一例を示す図である。まず、ユーザは、睡眠運転の設定をするために、睡眠ボタン２０ｈを押下する。
【００６１】
図１０のＳ１では、制御部１８は睡眠ボタン２０ｈの押下を検出し、表示部１６に図１１に示す表示画面２１を表示させる。続いて、Ｓ２では、制御部１８は、睡眠冷房運転又は睡眠暖房運転の設定の入力を受け付ける。
【００６２】
ここで、表示画面２１には、睡眠冷房運転を設定するための「冷房」、睡眠暖房運転を設定するための「暖房」及び睡眠運転の設定を解除するための「オフ」が表示されている。図示例では、表示画面２１は睡眠運転の設定がされていない状態であり、「オフ」が選択された状態にある。
【００６３】
睡眠冷房運転又は睡眠暖房運転の設定をするためには、ユーザは変更ボタン２０ｑを操作し、「オフ」から「冷房」又は「暖房」に黒丸を移動させ、確定ボタン２０ｐを押下する。こうすることで、睡眠運転の設定の入力が完了し、表示画面２１が終了する。
【００６４】
次に、Ｓ３では、制御部１８は、通信部１７を介して設定情報を室内機２に送信する。ここで、設定情報は、睡眠冷房運転又は睡眠暖房運転が設定されたことを示す情報と、就寝時刻ｔ１、継続時間ｕ１、設定温度Ｔ１、設定温度Ｔ２、起床時刻ｔ４、継続時間ｕ２及び設定温度Ｔ３のデフォルトの情報である。
【００６５】
なお、就寝時刻ｔ１及び起床時刻ｔ４のデフォルトの設定情報は、図９に示すテーブルに記載されたデフォルト値に関する情報である。また、継続時間ｕ１、設定温度Ｔ１、設定温度Ｔ２、継続時間ｕ２及び設定温度Ｔ３のデフォルトの設定情報は、図８に示すテーブルに記載された推奨値に関する情報である。制御部１８は、睡眠運転が睡眠冷房運転であるか又は睡眠暖房運転であるかに応じて、夏季における冷房運転の場合の推奨値又は冬季における暖房運転の場合の推奨値を選択する。
【００６６】
リモートコントローラ５から送信された設定情報は、通信部１０を介して室内機２により受信される。制御部１１は、受信された設定情報を睡眠期間中の設定情報として記憶部１１ｂに保存する。この状態では、睡眠運転はデフォルトの設定情報に基づいて設定された状態にある。
【００６７】
また、制御部１８は、リモートコントローラ５に送信した設定情報を睡眠期間中の設定情報として記憶部１８ｂに保存する。
【００６８】
次に、第１から第３の区間における設定温度及び第１から第３の区間の設定情報の設定方法について説明する。以下では、ユーザは寝つきボタン２０ｉ、睡眠中ボタン２０ｊ及び起床ボタン２０ｋを順に押下する場合を例に説明する。また、図１０に示すフローチャートの処理に従って睡眠冷房運転が設定されているものとする。
【００６９】
図１２及び図１３を参照して、第１の区間における設定温度及び第１の区間の設定情報の設定処理について説明する。図１２は、第１の区間における設定温度及び第１の区間の設定情報を設定する処理を示すフローチャート、図１３は、第１の区間における設定温度及び第１の区間の設定情報の設定に用いられる表示画面の一例を示す図である。最初に、ユーザは寝つきボタン２０ｉを押下する。
【００７０】
図１２のＳ４の処理が開始される。Ｓ４では、制御部１８は寝つきボタン２０ｉの押下を検出し、表示部１６に図１３に示す表示画面２２を表示させる。続いて、Ｓ５では、制御部１８は、設定温度Ｔ１、就寝時刻ｔ１及び継続時間ｕ１の入力を受け付ける。
【００７１】
ここで、表示画面２２について説明する。表示画面２２は第１の表示画面である。なお、図示例では、表示画面２２は、ユーザが設定情報を入力する前のデフォルトの表示状態を示している。
【００７２】
表示画面２２には、就寝時刻ｔ１を入力可能な入力欄２２ａ、継続時間ｕ１を入力可能な入力欄２２ｂ、設定温度Ｔ１を入力可能な入力欄２２ｃ、継続時間ｕ１の推奨値を示す表示欄２２ｄ及び設定温度Ｔ１の推奨値を示す表示欄２２ｅが含まれる。なお、継続時間ｕ１は「寝つき運転時間」として表示されている。デフォルトの表示状態では、まず入力欄２２ａから入力可能である。
【００７３】
入力欄２２ａには、就寝時刻ｔ１のデフォルト値である「２２：００」が表示されている。すなわち、制御部１８は、図９に示すテーブルを参照して、入力欄２２ａに就寝時刻ｔ１のデフォルト値を表示させる。
【００７４】
ユーザが就寝時刻ｔ１をデフォルト値から変更する場合には、ユーザは変更ボタン２０ｑを操作し、入力欄２２ａに就寝時刻ｔ１を入力し、確定ボタン２０ｐを押下する。これにより、入力された就寝時刻ｔ１が設定され、次に入力欄２２ｂが入力可能な状態となる。また、ユーザが就寝時刻ｔ１をデフォルト値から変更しない場合には、ユーザは確定ボタン２０ｐを押下する。これにより、就寝時刻ｔ１のデフォルト値が設定され、次に入力欄２２ｂが入力可能な状態となる。
【００７５】
入力欄２２ｂ及び表示欄２２ｄには、継続時間ｕ１の推奨値である「１８０分」が表示される。これは、夏季における冷房運転の場合の継続時間ｕ１の推奨値である。すなわち、制御部１８は、図８に示すテーブルを参照し、かつ睡眠冷房運転が設定されていることに基づき、入力欄２２ｂ及び表示欄２２ｄに夏季における冷房運転の場合の継続時間ｕ１の推奨値を表示させる。従って、ユーザは、継続時間ｕ１の推奨値を参考にした上で継続時間ｕ１を設定することができる。
【００７６】
ユーザが継続時間ｕ１を推奨値から変更する場合には、ユーザは変更ボタン２０ｑを操作し、入力欄２２ｂに継続時間ｕ１を入力する。表示欄２２ｄの表示は推奨値のままである。続いて、ユーザが確定ボタン２０ｐを押下すると、入力された継続時間ｕ１が設定され、次に入力欄２２ｃが入力可能な状態となる。また、ユーザが継続時間ｕ１を推奨値から変更しない場合には、ユーザは確定ボタン２０ｐを押下する。これにより、就寝時刻ｔ１の推奨値が設定され、次に入力欄２２ｃが入力可能な状態となる。
【００７７】
入力欄２２ｃ及び表示欄２２ｅには、設定温度Ｔ１の推奨値である「２７℃」が表示されている。これは、夏季における冷房運転の場合の設定温度Ｔ１の推奨値である。すなわち、制御部１８は、図８に示すテーブルを参照し、かつ睡眠冷房運転が設定されていることに基づき、入力欄２２ｃ及び表示欄２２ｅに夏季における冷房運転の場合の設定温度Ｔ１の推奨値を表示させる。従って、ユーザは、設定温度Ｔ１の推奨値を参考にした上で設定温度Ｔ１を設定することができる。
【００７８】
ユーザが設定温度Ｔ１を推奨値から変更する場合には、ユーザは変更ボタン２０ｑを操作し、入力欄２２ｃに設定温度Ｔ１を入力する。表示欄２２ｅの表示は推奨値のままである。続いて、ユーザが確定ボタン２０ｐを押下すると、入力された設定温度Ｔ１が設定され、表示画面２２が終了する。また、ユーザが設定温度Ｔ１を推奨値から変更しない場合には、ユーザは確定ボタン２０ｐを押下する。これにより、設定温度Ｔ１の推奨値が設定され、表示画面２２が終了する。
【００７９】
図１２に示すフローチャートに戻ると、Ｓ６では、制御部１８は、通信部１７を介して設定情報を室内機２に送信する。ここで、設定情報は、表示画面２２を介して設定された情報であり、就寝時刻ｔ１、継続時間ｕ１及び設定温度Ｔ１に関する情報である。
【００８０】
リモートコントローラ５から送信された設定情報は、通信部１０を介して室内機２により受信される。制御部１１は、新たに受信された設定情報を用いて記憶部１１ｂに既に保存されている睡眠期間中の設定情報を更新する。
【００８１】
また、制御部１８は、上記した設定情報を用いて記憶部１８ｂに既に保存されている睡眠期間中の設定情報を更新する。
【００８２】
図１４及び図１５を参照して、第２の区間における設定温度の設定処理について説明する。図１４は、第２の区間における設定温度を設定する処理を示すフローチャート、図１５は、第２の区間における設定温度の設定に用いられる表示画面の一例を示す図である。ユーザは次に睡眠中ボタン２０ｊを押下する。
【００８３】
図１４のＳ７の処理が開始される。Ｓ７では、制御部１８は睡眠中ボタン２０ｊの押下を検出し、表示部１６に図１５に示す表示画面２３を表示させる。続いて、Ｓ８では、制御部１８は、設定温度Ｔ２の入力を受け付ける。
【００８４】
ここで、表示画面２３について説明する。表示画面２３は第２の表示画面である。なお、図示例では、表示画面２３は、ユーザが設定情報を入力する前のデフォルトの表示状態を示している。
【００８５】
表示画面２３には、設定温度Ｔ２を入力可能な入力欄２３ａ及び設定温度Ｔ２の推奨値を示す表示欄２３ｂが含まれる。
【００８６】
入力欄２３ａ及び表示欄２３ｂには、設定温度Ｔ２の推奨値である「２７．５℃」が表示されている。これは、夏季における冷房運転の場合の設定温度Ｔ２の推奨値である。すなわち、制御部１８は、図８に示すテーブルを参照し、かつ睡眠冷房運転が設定されていることに基づき、入力欄２３ａ及び表示欄２３ｂに夏季における冷房運転の場合の設定温度Ｔ２の推奨値を表示させる。従って、ユーザは、設定温度Ｔ２の推奨値を参考にした上で設定温度Ｔ２を設定することができる。
【００８７】
ユーザが設定温度Ｔ２を推奨値から変更する場合には、ユーザは変更ボタン２０ｑを操作し、入力欄２３ａに設定温度Ｔ２を入力する。表示欄２３ｂの表示は推奨値のままである。続いて、ユーザが確定ボタン２０ｐを押下すると、入力された設定温度Ｔ２が設定され、表示画面２３が終了する。また、ユーザが設定温度Ｔ２を推奨値から変更しない場合には、ユーザは確定ボタン２０ｐを押下する。これにより、設定温度Ｔ２の推奨値が設定され、表示画面２３が終了する。
【００８８】
図１４に示すフローチャートに戻ると、Ｓ９では、制御部１８は、通信部１７を介して設定情報を室内機２に送信する。ここで、設定情報は、表示画面２３を介して設定された情報であり、設定温度Ｔ２に関する情報である。
【００８９】
リモートコントローラ５から送信された設定情報は、通信部１０を介して室内機２により受信される。制御部１１は、新たに受信された設定情報を用いて記憶部１１ｂに既に保存されている睡眠期間中の設定情報を更新する。
【００９０】
また、制御部１８は、上記した設定情報を用いて記憶部１８ｂに既に保存されている睡眠期間中の設定情報を更新する。
【００９１】
図１６及び図１７を参照して、第３の区間における設定温度及び第３の区間の設定情報の設定処理について説明する。図１６は、第３の区間における設定温度及び第３の区間の設定情報を設定する処理を示すフローチャート、図１７は、第３の区間における設定温度及び第３の区間の設定情報の設定に用いられる表示画面の一例を示す図である。ユーザは最後に起床ボタン２０ｋを押下する。
【００９２】
図１６のＳ１０の処理が開始される。Ｓ１０では、制御部１８は起床ボタン２０ｋの押下を検出し、表示部１６に図１７に示す表示画面２４を表示させる。続いて、Ｓ１１では、制御部１８は、設定温度Ｔ３、起床時刻ｔ４及び継続時間ｕ２の入力を受け付ける。
【００９３】
ここで、表示画面２４について説明する。表示画面２４は第３の表示画面である。なお、図示例では、表示画面２４は、ユーザが設定情報を入力する前のデフォルトの表示状態を示している。
【００９４】
表示画面２４には、起床時刻ｔ４を入力可能な入力欄２４ａ、継続時間ｕ２を入力可能な入力欄２４ｂ、設定温度Ｔ２を入力可能な入力欄２４ｃ、継続時間ｕ２の推奨値を示す表示欄２４ｄ及び設定温度Ｔ２の推奨値を示す表示欄２４ｅが含まれる。なお、継続時間ｕ２は「起床運転時間」として表示されている。デフォルトの表示状態では、まず入力欄２４ａから入力可能である。
【００９５】
入力欄２４ａには、起床時刻ｔ４のデフォルト値である「０６：００」が表示されている。すなわち、制御部１８は、図９に示すテーブルを参照して、入力欄２４ａに起床時刻ｔ４のデフォルト値を表示させる。
【００９６】
ユーザが起床時刻ｔ４をデフォルト値から変更する場合には、ユーザは変更ボタン２０ｑを操作し、入力欄２４ａに起床時刻ｔ４を入力し、確定ボタン２０ｐを押下する。これにより、入力された起床時刻ｔ４が設定され、次に入力欄２４ｂが入力可能な状態となる。また、ユーザが起床時刻ｔ４をデフォルト値から変更しない場合には、ユーザは確定ボタン２０ｐを押下する。これにより、起床時刻ｔ４のデフォルト値が設定され、次に入力欄２４ｂが入力可能な状態となる。
【００９７】
入力欄２４ｂ及び表示欄２４ｄには、継続時間ｕ２の推奨値である「３０分」が表示され、これは、夏季における冷房運転の場合の継続時間ｕ２の推奨値である。すなわち、制御部１８は、図８に示すテーブルを参照し、かつ睡眠冷房運転が設定されていることに基づき、入力欄２４ｂ及び表示欄２４ｄに夏季における冷房運転の場合の継続時間ｕ２の推奨値を表示させる。従って、ユーザは、継続時間ｕ２の推奨値を参考にした上で継続時間ｕ２を設定することができる。
【００９８】
ユーザが継続時間ｕ２を推奨値から変更する場合には、ユーザは変更ボタン２０ｑを操作し、入力欄２４ｂに継続時間ｕ２を入力する。表示欄２４ｄの表示は推奨値のままである。続いて、ユーザが確定ボタン２０ｐを押下すると、入力された継続時間ｕ２が設定され、次に入力欄２４ｃが入力可能な状態となる。また、ユーザが継続時間ｕ２を推奨値から変更しない場合には、ユーザは確定ボタン２０ｐを押下する。これにより、起床時刻ｔ４の推奨値が設定され、次に入力欄２４ｃが入力可能な状態となる。
【００９９】
入力欄２４ｃ及び表示欄２４ｅには、設定温度Ｔ３の推奨値である「２８℃」が表示されている。これは、夏季における冷房運転の場合の設定温度Ｔ３の推奨値である。すなわち、制御部１８は、図８に示すテーブルを参照し、かつ睡眠冷房運転が設定されていることに基づき、入力欄２４ｃ及び表示欄２４ｅに夏季における冷房運転の場合の設定温度Ｔ３の推奨値を表示させる。従って、ユーザは、設定温度Ｔ３の推奨値を参考にした上で設定温度Ｔ３を設定することができる。
【０１００】
ユーザが設定温度Ｔ３を推奨値から変更する場合には、ユーザは変更ボタン２０ｑを操作し、入力欄２４ｃに設定温度Ｔ３を入力する。この際、表示欄２４ｅの表示は推奨値のままである。続いて、ユーザが確定ボタン２０ｐを押下すると、入力された設定温度Ｔ３が設定され、表示画面２４が終了する。また、ユーザが設定温度Ｔ３を推奨値から変更しない場合には、ユーザは確定ボタン２０ｐを押下する。これにより、設定温度Ｔ３の推奨値が設定され、表示画面２４が終了する。
【０１０１】
図１６に示すフローチャートに戻ると、Ｓ１２では、制御部１８は、通信部１７を介して設定情報を室内機２に送信する。ここで、設定情報は、表示画面２４を介して設定された情報であり、起床時刻ｔ４、継続時間ｕ２及び設定温度Ｔ３に関する情報である。
【０１０２】
リモートコントローラ５から送信された設定情報は、通信部１０を介して室内機２により受信される。制御部１１は、新たに受信された設定情報を用いて記憶部１１ｂに既に保存されている睡眠期間中の設定情報を用いて更新する。
【０１０３】
また、制御部１８は、上記した設定情報を用いて記憶部１８ｂに既に保存されている睡眠期間中の設定情報を更新する。
【０１０４】
なお、上記した説明では、睡眠運転は冷房運転であるとしたが、睡眠運転が暖房運転である場合も同様である。この場合は、表示画面２２から２４に表示される推奨値は冬季における暖房運転の場合の推奨値である。
【０１０５】
また、上記した説明では、ユーザが寝つきボタン２０ｉ、睡眠中ボタン２０ｊ及び起床ボタン２０ｋを当該順序で押下するとしたが、押下する順序は問わない。
【０１０６】
また、睡眠期間中の設定情報が一旦設定された後も、ユーザは随時に寝つきボタン２０ｉ、睡眠中ボタン２０ｊ又は起床ボタン２０ｋを押下し、設定情報を変更することができる。この場合、表示画面２２から２４には、既設定値とともに推奨値が表示される。
【０１０７】
また、睡眠期間中の設定情報が設定された後、ユーザは図１１に示す表示画面２１において「オフ」を指定することで、睡眠期間中の設定情報はそのまま保持された状態で睡眠運転の実行を解除することができる。
【０１０８】
次に、空気調和機１の睡眠運転の動作を説明する。図１８は、空気調和機の睡眠運転の動作を示すフローチャートである。動作の主体は室内機２の制御部１１であり、制御部１１は睡眠期間中の設定情報に基づいて空気調和機１の運転を制御する。
【０１０９】
まず、Ｓ２０では、制御部１１は、現在時刻が就寝時刻ｔ１に達したか否かを判定する。この際、制御部１１は、現在時刻に関する情報を計時部１２の出力から得る。また、制御部１１は、就寝時刻ｔ１に関する情報を記憶部１１ｂから得る。
【０１１０】
現在時刻が就寝時刻ｔ１に達していない場合は、制御部１１はＳ２０の処理を繰り返す。現在時刻が就寝時刻ｔ１に達した場合は、制御部１１はＳ２１に示す処理に進み、寝つき運転を開始する。ここで、寝つき運転は第１の区間中の運転である。すなわち、制御部１１は、温湿度センサ８により検出された温度が設定温度Ｔ１になるように運転の制御を行う。この際、制御部１１は、設定温度Ｔ１に関する情報を記憶部１１ｂから得る。
【０１１１】
次に、Ｓ２２では、制御部１１は、寝つき運転時間が終了したか否かを判定する。この判定は、就寝時刻ｔ１から現在時刻までの経過時間と継続時間ｕ１とを比較することが行われる。この際、制御部１１は、継続時間ｕ１に関する情報を記憶部１１ｂから得る。寝つき運転時間が終了していない場合は、制御部１１はＳ２１に示す処理に戻り、寝つき運転を継続する。寝つき運転時間が終了した場合は、制御部１１は寝つき運転を終了し、Ｓ２３に示す処理に進む。
【０１１２】
Ｓ２３では、制御部１１は、睡眠中運転を開始する。ここで、睡眠中運転は第２の区間中の運転である。すなわち、制御部１１は、温湿度センサ８により検出された温度が設定温度Ｔ２になるように運転の制御を行う。この際、制御部１１は、設定温度Ｔ２に関する情報を記憶部１１ｂから得る。
【０１１３】
次に、Ｓ２４では、制御部１１は、睡眠中運転時間が終了したか否かを判定する。この判定は次のようにして行う。睡眠中運転時間は、睡眠期間から継続期間ｕ１と継続期間ｕ２との和を差し引くことで求まる。睡眠期間は、起床時刻ｔ４と就寝時刻ｔ１との差から求まる。制御部１１は、睡眠中運転の開始時刻ｔ２から現在時刻までの経過時間と睡眠中運転時間とを比較することで、睡眠中運転時間が終了したか否かを判定する。この際、制御部１１は、就寝時刻ｔ１、起床時刻ｔ４、継続時間ｕ１及び継続期間ｕ２に関する情報を記憶部１１ｂから得る。
【０１１４】
睡眠中運転時間が終了していない場合は、制御部１１はＳ２３に示す処理に戻り、睡眠中運転を継続する。睡眠中運転時間が終了した場合は、制御部１１は睡眠中運転を終了し、Ｓ２５に示す処理に進む。
【０１１５】
Ｓ２５では、制御部１１は、起床運転を開始する。ここで、起床運転は第３の区間中の運転である。すなわち、制御部１１は、温湿度センサ８により検出された温度が設定温度Ｔ３になるように運転の制御を行う。この際、制御部１１は、設定温度Ｔ３に関する情報を記憶部１１ｂから得る。
【０１１６】
次に、Ｓ２６では、制御部１１は、起床運転時間が終了したか否かを判定する。この判定は、起床運転の開始時刻ｔ３から現在時刻までの経過時間と継続時間ｕ２とを比較することが行われる。
【０１１７】
起床運転時間が終了していない場合は、制御部１１はＳ２５に示す処理に戻り、起床運転を継続する。起床運転時間が終了した場合は、制御部１１は起床運転を終了し、睡眠運転が終了する。
【０１１８】
実施の形態１の効果について説明する。実施の形態１では、リモートコントローラ５は第１から第３の区間の各々における設定温度の入力を受け付ける。これにより、睡眠期間中の温度設定の自由度が高くなり、ユーザは各区間において個人の温熱感及び着衣量に応じて好みの温度を設定することが可能となる。
【０１１９】
また、実施の形態１では、リモートコントローラ５は第１から第３の区間の各々の設定情報の入力を受け付ける。具体的には、リモートコントローラ５は、就寝時刻ｔ１、継続時間ｕ１、起床時刻ｔ４及び継続時間ｕ２の入力を受け付ける。これにより、寝つき運転時間、睡眠中運転時間及び起床運転時間の長さをユーザが設定できるので、区間設定の自由度が高くなる。
【０１２０】
また、実施の形態１では、第１の区間における設定温度及び第１の区間の設定情報の設定に用いられる表示画面２２において、設定温度Ｔ１の推奨値及び継続時間ｕ１の推奨値が表示され、第２の区間における設定温度の設定に用いられる表示画面２３において、設定温度Ｔ２の推奨値が表示され、第３の区間における設定温度及び第３の区間の設定情報の設定に用いられる表示画面２４において、設定温度Ｔ３の推奨値及び継続時間ｕ２の推奨値が表示される。
【０１２１】
これらの推奨値は、睡眠期間中の深部体温の変化及び睡眠周期に基づき、夏季における冷房運転又は冬季における暖房運転に応じて決められる。従って、これらの推奨値を表示することは、睡眠のメカニズムを知らないユーザが設定情報を設定する際に親切である。
【０１２２】
一般に、睡眠のメカニズムから推定される客観的な睡眠の質と起床時にユーザが体感する主観的な睡眠の質とは一致しない場合がある。ユーザが快適と感じる空調では、実際にはユーザは良く眠れていないことがある。
【０１２３】
実施の形態１によれば、ユーザが睡眠のメカニズムを知らない場合でも、ユーザは上記した推奨値を参照し、さらに個人の好みを考慮した上で設定情報を設定することができる。従って、夏季における寝つきにくさと寝冷え、冬季における寝冷えと起床しにくさといった睡眠に関する周知の不満を解消することが可能となり、満足度の高い睡眠環境を提供することが可能となる。
【０１２４】
実施の形態１では、設定情報の推奨値は夏季における冷房運転又は冬季における暖房運転に応じて決まり、実質は季節にかかわらず冷房又は暖房に応じて推奨値が決まる構成としているが、これに限定されるものではない。
【０１２５】
設定情報の推奨値は、睡眠中の深部体温の変化及び睡眠周期に基づき、睡眠運転が冷房又は暖房であるかにかかわらず、季節に応じて決めることができる。あるいは、設定情報の推奨値は、睡眠中の深部体温の変化及び睡眠周期に基づき、睡眠運転が冷房及び暖房のいずれであるか及び季節の双方に応じて決めることもできる。
【０１２６】
前者の場合、すなわち、設定情報の推奨値を睡眠運転が冷房又は暖房であるかにかかわらず季節に応じて決める場合には、予め複数の季節を定義し、図８のテーブルの推奨値を季節ごとに決めておく。そして、制御部１８は、表示画面２２から２４を表示する際に、表示時がいずれの季節に当たるのかを計時部１９からの出力に基づいて判定し、季節に応じた推奨値を図８のテーブルから選択すればよい。季節は、１年を夏季及び冬季の二季に分けてもよいし、１年を夏季、冬季及び中間期の三季に分けてもよいし、１年を春季、夏季、秋季及び冬季の四季に分けてもよいし、更に細分してもよい。
【０１２７】
後者の場合、すなわち、設定情報の推奨値を睡眠運転が冷房及び暖房のいずれであるか及び季節の双方に応じて決める場合には、冷房又は暖房に対して季節に応じた推奨値を選択できるようなテーブルを用意すればよい。
【０１２８】
いずれの場合でも、第１の区間における設定温度の推奨値は、第２の区間における設定温度の推奨値よりも低く、第２の区間における設定温度の推奨値は、第３の区間における設定温度の推奨値以下とすることができる。また、第１の区間の継続時間の推奨値は睡眠周期よりも長く、第３の区間の継続時間は睡眠周期よりも短いようにすることができる。
【０１２９】
実施の形態１では、第１の区間の設定情報は就寝時刻ｔ１及び継続時間ｕ１に関する情報であるとしたが、継続時間ｕ１の代わりに第１の区間の終了時刻ｔ２を用いてもよい。この場合、表示画面２２には、寝つき運転時間の代わりに第１の区間の終了時刻ｔ２が表示され、寝つき運転時間の推奨値の代わりに第１の区間の終了時刻ｔ２の推奨値が表示される。ここで、第１の区間の終了時刻ｔ２の推奨値は、就寝時刻ｔ１と継続時間ｕ１の推奨値とから制御部１８により算出される。
【０１３０】
同様に、第３の区間の設定情報は起床時刻ｔ４及び継続時間ｕ２に関する情報であるとしたが、継続時間ｕ２の代わりに第３の区間の開始時刻ｔ３を用いてもよい。この場合、表示画面２４には、起床運転時間の代わりに第３の区間の開始時刻ｔ３が表示され、起床運転時間の推奨値の代わりに第３の区間の開始時刻ｔ３の推奨値が表示される。ここで、第３の区間の開始時刻ｔ３の推奨値は、起床時刻ｔ４と継続時間ｕ２の推奨値とから制御部１８により算出される。
【０１３１】
また、実施の形態１では、睡眠期間は第１から第３の区間に区分されているが、睡眠期間を２区間に区分し又は４区間以上に区分してもよい。すなわち、睡眠区間は一般に複数の区間に区分することが可能である。
【０１３２】
この場合でも、リモートコントローラ５は各区間における設定温度及び各区間の設定情報の入力を受け付け、表示部１６は入力を受け付ける際に各区間における設定温度の推奨値及び各区間の継続時間又は終了時刻の推奨値を表示する。
【０１３３】
実施の形態１は、さらに一般化することも可能である。すなわち、リモートコントローラ５の入力部１５が、互いに重複しない複数の期間の各々における設定温度の入力を受け付けるように構成することも可能である。これにより、複数の期間を、睡眠期間を区分した複数の区間とした場合には、睡眠期間中の空調制御における温度設定の自由度が高くなる。
【０１３４】
さらに、リモートコントローラ５の入力部１５が、複数の期間の各々の設定情報の入力を受け付けるように構成することが可能である。これにより、複数の期間を、睡眠期間を区分した複数の区間とした場合には、区間の設定の自由度が高くなる。
【０１３５】
実施の形態１では、空気調和機１は冷房機能及び暖房機能を有するが、これに限定されない。空気調和機１は、冷房機能及び暖房機能の少なくとも一方を有していればよい。
【０１３６】
また、リモートコントローラ５は室内機２と無線で通信をするが有線で通信するものでもよい。また、リモートコントローラ５は、専用の端末に限定されず、専用のアプリケーションソフトウェアがインストールされた携帯電話又はタブレット機器であってもよい。
【０１３７】
実施の形態１では、第１の区間における設定温度及び第１の区間の設定情報の設定のためにリモートコントローラ５に寝つきボタン２０ｉを設け、第２の区間における設定温度の設定のためにリモートコントローラ５に睡眠中ボタン２０ｊを設け、第３の区間における設定温度及び第３の区間の設定情報の設定のためにリモートコントローラ５に起床ボタン２０ｋを設けている。これにより、区間ごとの設定が容易となる。
【０１３８】
また、リモートコントローラ５では、寝つきボタン２０ｉ、睡眠中ボタン２０ｊ及び起床ボタン２０ｋは、ユーザに分かり易いように、それぞれ睡眠の状態を示す用語である「寝つき」、「睡眠中」及び「起床」の表示を用いて区別されている。
【０１３９】
なお、リモートコントローラ５に設けられる複数のボタン２０の構成は図４の図示例に限定されない。特に、睡眠ボタン２０ｈ、寝つきボタン２０ｉ、睡眠中ボタン２０ｊ、起床ボタン２０ｋ、確定ボタン２０ｐ及び変更ボタン２０ｑについては、睡眠期間中の空気調和機１の設定情報を設定できるものであればどのような形態のものでもよい。また、表示部１６をタッチパネル式にした場合は、複数のボタン２０の少なくとも一部をタッチパネル上で実現することもできる。
【０１４０】
また、実施の形態１では、リモートコントローラ５による設定操作において、寝つきボタン２０ｉ、睡眠中ボタン２０ｊ及び起床ボタン２０ｋを押下するごとに異なる表示画面が表示されるとしたが、最初に２つ以上のボタンを押下した後、押下された２つ以上のボタンに応じた２つ以上の表示画面が順に表示されるようにしてもよい。
【０１４１】
また、寝つきボタン２０ｉ、睡眠中ボタン２０ｊ及び起床ボタン２０ｋに代る１つのボタンを設け、この１つのボタンを押下すると、まず表示部１６に表示画面２２が表示されて表示画面２２を介した設定情報の設定が可能となり、当該設定が終了すると、次に表示部１６に表示画面２３が表示されて表示画面２３を介した設定情報の設定が可能となり、当該設定が終了すると、最後に表示部１６に表示画面２４が表示されて表示画面２４を介した設定情報の設定が可能になるようにしてもよい。
【０１４２】
なお、制御部１１は、表面温度センサ９の出力に基づき、就寝者の皮膚の露出面積を検出し、露出面積に応じて第１から第３の区間における設定温度を調整することもできる。
【０１４３】
詳細には、制御部１１は、表面温度センサ９の出力に基づき、皮膚の表面温度を検出し、皮膚の露出面積を算出することができる。皮膚の表面温度は、着衣の表面温度及び寝具６の表面温度との差異から検出可能である。
【０１４４】
制御部１１は、皮膚の露出面積が第１の面積閾値よりも大きいときは、露出面積の検出時が属する区間における設定温度を高くし、皮膚の露出面積が第２の面積閾値よりも小さいときは、露出面積の検出時が属する区間における設定温度を低くし、皮膚の露出面積が第１の面積閾値以下でかつ第２の面積閾値以上のときは、露出面積の検出時が属する区間における設定温度を維持する。
【０１４５】
このような制御によれば、皮膚の露出面積が大きいとき、すなわち寝具６が就寝者の体を十分に覆っていないときには、室温が上昇して寝冷が抑制され、皮膚の露出面積が小さいとき、すなわち寝具６が就寝者の体を十分に覆っているときには、室温が下降して寝苦しさが生じないようにする。
【０１４６】
実施の形態２．
実施の形態１では、寝つき運転、睡眠中運転及び起床運転の切り替えが、運転時間、睡眠中運転時間及び起床運転時間に基づいて行われている。ここで、運転時間、睡眠中運転時間及び起床運転時間は、ユーザにより設定される。さらに、実施の形態１では、第１から第３の区間の各々における設定温度はユーザが設定可能である。すなわち、実施の形態１では、睡眠期間中の設定情報がユーザにより設定されるマニュアル睡眠運転の機能について説明した。実施の形態２は、このようなマニュアル睡眠運転の機能に加えて、オート睡眠運転の機能を有する。
【０１４７】
詳細には、オート睡眠運転では、制御部１１は、就寝者の睡眠状態に基づき、就寝時刻、寝つき運転の終了時刻、起床運転の開始時刻及び起床時刻を判定し、寝つき運転、睡眠中運転及び起床運転の切り替えを自動的に行う。ここで、睡眠状態は、睡眠状態検出手段としての表面温度センサ９の出力に基づいて得られる。
【０１４８】
さらに、オート睡眠運転では、設定温度Ｔ１は設定温度Ｔ１の推奨値に設定され、設定温度Ｔ２は設定温度Ｔ２の推奨値に設定され、設定温度Ｔ３は設定温度Ｔ３の推奨値に設定される。設定温度Ｔ１の推奨値、設定温度Ｔ２の推奨値及び設定温度Ｔ３の推奨値に関する情報は、記憶部１１ｂに予め保存されている。
【０１４９】
ここで、就寝時刻、寝つき運転の終了時刻、起床運転の開始時刻及び起床時刻の検出方法の一例について説明する。
【０１５０】
一般に、一定期間内の体動の回数は、覚醒状態では最も多く、浅睡眠中、ＲＥＭ睡眠中及び深睡眠中の順に少なくなる。そこで、制御部１１は、一定期間内の体動の回数が第１の閾値以上であれば覚醒と判定し、一定期間内の体動の回数が第１の閾値未満でかつ第２の閾値以上であれば浅睡眠と判定し、一定期間内の体動の回数が第２の閾値未満でかつ第３の閾値以上であればＲＥＭ睡眠と判定し、一定期間内の体動の回数が第３の閾値未満であれば深睡眠と判定する。ここで、第１の閾値は第２の閾値よりも大きく、第２の閾値は第３の閾値よりも大きい。第１から第３の閾値は予め設定される。
【０１５１】
この際、制御部１１は、一定期間内の体動の回数を表面温度センサ９の出力に基づいて検出する。詳細には、表面温度センサ９は周期的に熱画像データを制御部１１に出力するので、制御部１１は、最新の熱画像データと前回の熱画像データとを比較し、これらの熱画像データの差異から体動を検出し、一定期間内の体動の回数を求めることができる。
【０１５２】
制御部１１は、一定期間内の体動の回数を監視し、覚醒状態から睡眠状態に移行した時を就寝時と判定し、睡眠状態から覚醒状態に移行した時を起床時と判定する。
【０１５３】
また、制御部１１は、一定期間内の体動の回数を監視し、寝つき運転の終了時を判定する。一例を挙げれば、寝つき運転の終了時は、就寝時から深睡眠が１回又は２回終了した時と決めておく。以下では、寝つき運転の終了時は、就寝時から深睡眠が１回終了した時であるとする。この場合、制御部１１は、就寝時から深睡眠が１回終了した時に寝つき運転を終了する。
【０１５４】
また、制御部１１は、一定期間内の体動の回数を監視し、起床運転の開始時を判定する。一例を挙げれば、起床運転の開始時は、ＲＥＭ睡眠と浅睡眠とが深睡眠を経ずに交互に繰り返す睡眠状態において、浅睡眠が一定回数以上発生した時と決めておく。この一定回数は予め設定される。この場合、制御部１１は、ＲＥＭ睡眠と浅睡眠とが深睡眠を経ずに交互に繰り返す睡眠状態において、浅睡眠が一定回数以上発生した時に起床運転を開始する。
【０１５５】
図１９は、室内機２の記憶部１１ｂに記憶された設定温度の推奨値の一例を示すテーブルである。図１９のテーブルは、継続時間ｕ１の推奨値及び継続時間ｕ２の推奨値を含まないことを除けば、図８のテーブルと同内容である。
【０１５６】
図２０は、リモートコントローラ５の外観の一例を示す平面図である。リモートコントローラ５は、図４に示す構成に加えて、オート睡眠運転を実行するためのオート睡眠ボタン２０ｍを有する。すなわち、ユーザがオート睡眠ボタン２０ｍを押下すると、リモートコントローラ５はオート睡眠運転が設定されたことを示す情報を室内機２に送信する。室内機２は、この情報を受信すると、オート睡眠運転を開始する。
【０１５７】
図２１は、オート睡眠運転の動作を示すフローチャートである。まず、ユーザによりオート睡眠ボタン２０ｍが押下されて、室内機２はオート睡眠運転が設定された状態にあるものとする。
【０１５８】
Ｓ３０では、制御部１１は、就寝者が就寝したか否かを判定する。この際、制御部１１は、一定期間内の体動の回数が第１の閾値以上から第１の閾値未満に移行した時に覚醒状態から睡眠状態に移行し、就寝者が就寝したと判定する。
【０１５９】
就寝者が就寝していない場合には、制御部１１はＳ３０の処理を繰り返す。就寝者が就寝した場合には、制御部１１はＳ３１に示す処理に進み、寝つき運転を開始する。ここで、寝つき運転は第１の区間中の運転である。
【０１６０】
すなわち、制御部１１は、温湿度センサ８により検出された温度に基づいて冷房運転又は暖房運転を選択する。一例を挙げれば、制御部１１は、温湿度センサ８により検出された温度が予め決められた温度以上の場合は冷房運転を選択し、温湿度センサ８により検出された温度が予め決められた温度未満の場合は暖房運転を選択する。そして、制御部１１は、冷房運転又は暖房運転に応じて図１９のテーブルから設定温度Ｔ１の推奨値を選択し、設定温度Ｔ１の推奨値を設定温度Ｔ１に設定し、温湿度センサ８により検出された温度が設定温度Ｔ１になるように運転の制御を行う。
【０１６１】
次に、Ｓ３２では、制御部１１は、寝つき運転を終了するか否かを判定する。この際、制御部１１は、就寝時から深睡眠が１回終了した時に寝つき運転を終了する。寝つき運転を終了しない場合は、制御部１１はＳ３１に示す処理に戻り、寝つき運転を継続する。寝つき運転を終了する場合は、制御部１１は寝つき運転を終了し、Ｓ３３に示す処理に進む。
【０１６２】
Ｓ３３では、制御部１１は、睡眠中運転を開始する。ここで、睡眠中運転は第２の区間中の運転である。
【０１６３】
すなわち、制御部１１は、冷房運転又は暖房運転に応じて図１９のテーブルから設定温度Ｔ２の推奨値を選択し、設定温度Ｔ２の推奨値を設定温度Ｔ２に設定し、温湿度センサ８により検出された温度が設定温度Ｔ２になるように運転の制御を行う。
【０１６４】
次に、Ｓ３４では、制御部１１は、睡眠中運転を終了するか否かを判定する。この際、制御部１１は、ＲＥＭ睡眠と浅睡眠とが深睡眠を経ずに交互に繰り返す睡眠状態において、浅睡眠が一定回数以上発生した時に睡眠中運転を終了する。睡眠中運転を終了しない場合は、制御部１１はＳ３３に示す処理に戻り、睡眠中運転を継続する。睡眠中運転を終了する場合は、制御部１１は睡眠中運転を終了し、Ｓ３５に示す処理に進む。
【０１６５】
Ｓ３５では、制御部１１は、起床運転を開始する。ここで、起床運転は第３の区間中の運転である。すなわち、制御部１１は、冷房運転又は暖房運転に応じて図１９のテーブルから設定温度Ｔ３の推奨値を選択し、設定温度Ｔ３の推奨値を設定温度Ｔ３に設定し、温湿度センサ８により検出された温度が設定温度Ｔ３になるように運転の制御を行う。
【０１６６】
次に、Ｓ３６では、制御部１１は、就寝者が起床したか否かを判定する。制御部１１は、一定期間内の体動の回数が第１の閾値未満から第１の閾値以上に移行した時に睡眠状態から覚醒状態に移行し、就寝者が起床したと判定する。
【０１６７】
就寝者が起床していない場合は、制御部１１はＳ３５に示す処理に戻り、起床運転を継続する。就寝者が起床した場合は、制御部１１は起床運転を終了し、オート睡眠運転を終了する。
【０１６８】
このようなオート睡眠運転機能を設けることにより、ユーザはマニュアル睡眠運転とオート睡眠運転とを使い分けることができ、利便性が高くなる。
【０１６９】
なお、睡眠状態は表面温度センサ９により検出されるとしたが、これに限定されない。空気調和機１に表面温度センサ９とは異なる睡眠状態検出手段を設け、この睡眠状態検出手段により睡眠状態を検出してもよい。
【０１７０】
このような睡眠状態検出手段としては、例えばドップラレーダセンサ又はカメラが周知である。ここでドップラレーダセンサは、マイクロ波を人体に向けて送信し、送信波と反射波とから周波数の変動を求める。制御部１１は、この周波数の変動から呼吸、脈拍及び寝返りといった体動を検出する。カメラを用いる場合は、制御部１１は、カメラにより撮像された画像を解析して体動を検出する。
【０１７１】
なお、オート睡眠運転では、設定温度Ｔ１、設定温度Ｔ２及び設定温度Ｔ３は各々の推奨値に設定されるとしたが、マニュアル睡眠運転のようにユーザが設定可能にすることもできる。この場合、制御部１１は、就寝時刻、寝つき運転の終了時刻、起床運転の開始時刻及び起床時刻を判定し、寝つき運転、睡眠中運転及び起床運転の切り替えを自動的に行う。
【０１７２】
また、図１９のテーブルでは、設定情報の推奨値は夏季における冷房運転又は冬季における暖房運転に応じて決められているが、これに限定されるものではないことはマニュアル睡眠運転の場合と同様である。
【０１７３】
実施の形態３．
図２２は、実施の形態３に係る空気調和システムの構成を示すブロック図、図２３は、実施の形態３に係る空気調和システムの設置例を示す模式図である。
【０１７４】
図２２及び図２３に示すように、実施の形態３に係る空気調和システム３０は、空気調和機１、加湿器３１及び寝具３２を備える。空気調和システム３０は寝室７内に設置される。空気調和機１は、実施の形態１に係る空気調和機と同じ構成である。図２２及び図２３では、図１及び図２に示す構成要素と同一の構成要素には同一の符号を付している。
【０１７５】
加湿器３１は、室内の温度及び湿度を検出する温湿度センサ３３と、就寝者の睡眠状態を検出する睡眠状態検出手段３４と、室内機２との間で無線通信を行う通信部３６と、温湿度センサ３３、睡眠状態検出手段３４及び通信部３６に接続され、加湿運転の制御を含む各種の制御を行う制御部３５とを備える。なお、図２２では、加湿機能の図示は省略している。
【０１７６】
加湿器３１は、室内機２の下方に配置されている。加湿器３１はスチームを吐出するスチーム方式である。図２３に示すように、加湿器３１は、スチームを吹出すスチーム吹出し口３７と、スチーム吹出し口３７の上に配置され、床面に平行に空気を吹出す送風吹出し口３８とを備える。スチーム吹出し口３７から吹き出されたスチームは、送風吹出し口３８から吹き出される空気により、寝室７の上方に向かうことなく、寝床内で横臥する就寝者の周囲を直接加湿することが可能である。また、加湿器３１は、スチームの吹出しを停止し、送風運転のみを実行することもできる。
【０１７７】
このように加湿器３１が就寝者の周囲を直接加湿することで、迅速かつ少量の水で就寝者の周囲を加湿することができ、壁面及び窓における結露を抑制することができる。
【０１７８】
また、加湿器３１は、スチーム方式に限らず、フィルターを使用した気化式又は超音波素子を使用した超音波式でもよい。ただし、気化式では風が強く、超音波式では加湿器３１の周辺が濡れることがあるので、睡眠時の使用にはスチーム方式が好ましい。
【０１７９】
なお、加湿器３１を設けずに、加湿機能を有する空気調和機１により室内の加湿を行うことも可能である。ただし、寝具３２が配置される寝室７の下部の湿度は室内機２が設置される寝室７の上部の湿度とは異なること及び空気調和機１により寝室７の下部の湿度を制御するには空気調和機１から強い気流を送出する必要があり、就寝者の睡眠を妨げる可能性があることから、加湿器３１を設けることが好ましい。
【０１８０】
睡眠状態検出手段３４は、表面温度センサ９のように赤外線センサを用いて構成される。ただし、睡眠状態検出手段３４は、これに限定されず、例えばドップラレーダセンサ又はカメラを用いたものでもよい。
【０１８１】
なお、睡眠状態検出手段３４は、寝具３２内に設けることもできるし、室内機２に設けることもできるし、又は独立して設けるようにしてもよい。睡眠状態検出手段３４を寝具３２に設ける場合に、睡眠状態検出手段３４を加速度センサとすれば、加速度センサにより就寝者の体動を直接検出することができる。
【０１８２】
通信部３６は、無線通信用の送受信装置である。通信部３６は、室内機２の通信部１０との間でデータの送受信を行う。すなわち、通信部３６は、加湿器３１の設定情報、温湿度センサ３３の出力データ及び睡眠状態検出手段３４の出力データを室内機２に送信する。加湿器３１の設定情報は設定湿度を含む。
【０１８３】
また、通信部３６は、室内機２の通信部１０から送信された空気調和機１の設定情報、温湿度センサ８の出力データ及び表面温度センサ９の出力データを受信する。空気調和機１の設定情報には、睡眠期間中の空気調和機１の設定情報が含まれる。通信部１０は第１の通信部、通信部３６は第２の通信部である。
【０１８４】
制御部３５は、制御に必要な演算を実行する演算部３５ａと、演算に用いられるデータを記憶する記憶部３５ｂとを備える。制御部３５は、制御回路であり、マイクロコンピュータにより実現される。すなわち、演算部３５ａはプロセッサであり、記憶部３５ｂはメモリである。メモリは半導体メモリが一般的である。プロセッサはメモリに記憶されたプログラムを実行し、プログラムに記載された制御方法を実行する。メモリには、加湿器３１の設定情報、温湿度センサ３３の出力データ、睡眠状態検出手段３４の出力データ及び室内機２から受信されたデータが記憶される。
【０１８５】
制御部３５は、加湿器３１の設定情報と空気調和機１の設定情報と温湿度センサ３３の出力データとに基づき、加湿運転又は送風運転を制御する。
【０１８６】
室内機２の制御部１１は、加湿器３１から受信した睡眠状態検出手段３４の出力データを睡眠運転の制御に用いることもできる。
【０１８７】
寝具３２は、寝床を構成する寝具本体に、温湿度センサ４０、制御部４１、通信部４２及び加熱手段４３が設けられて構成されている。温湿度センサ４０、通信部４２及び加熱手段４３は制御部４１に接続されている。図示例では、寝具本体はベッドである。
【０１８８】
温湿度センサ４０は、寝床内の温度及び湿度を検出する。温湿度センサ４０は、例えばベッドに載置されるマットレス内に設置される。
【０１８９】
加熱手段４３は、温熱器具である。加熱手段４３は、寝床内を加温可能なものであればよく、例えばマットレス内に設置されたヒータである。
【０１９０】
制御部４１は、温湿度センサ４０の出力データと加温運転の設定情報とに基づき、加熱手段４３を制御して、寝床内の加温運転の制御を行う。制御部４１は、加温運転の制御の他、各種の制御を実行する。加温運転の設定情報は、加熱手段４３の設定情報である。
【０１９１】
通信部４２は、無線通信用の送受信装置である。通信部４２は、室内機２の通信部１０との間でデータの送受信を行う。すなわち、通信部４２は、加温運転の設定情報及び温湿度センサ４０の出力データを室内機２に送信する。
【０１９２】
また、通信部３６は、室内機２の通信部１０から送信された空気調和機１の設定情報、温湿度センサ８の出力データ及び表面温度センサ９の出力データを受信する。空気調和機１の設定情報には、睡眠期間中の設定情報が含まれる。通信部４２は第３の通信部である。
【０１９３】
なお、制御部４１は、制御に必要な演算を実行する演算部４１ａと、演算に用いられるデータを記憶する記憶部４１ｂとを備える。制御部４１は、制御回路であり、マイクロコンピュータにより実現される。すなわち、演算部４１ａはプロセッサであり、記憶部４１ｂはメモリである。メモリは半導体メモリが一般的である。プロセッサはメモリに記憶されたプログラムを実行し、プログラムに記載された制御方法を実行する。メモリには、加温運転の設定情報、温湿度センサ４０の出力データ及び室内機２から受信されたデータが記憶される。
【０１９４】
実施の形態３では、加湿器３１は空気調和機１と連動して加湿運転又は送風運転し、寝具３２は空気調和機１と連動して加温運転する。すなわち、空気調和機１は、睡眠期間中の設定情報を加湿器３１と寝具３２にそれぞれ送信する。これにより、加湿機３１の制御部３５は、就寝時刻、寝つき運転時間、睡眠中運転時間、起床運転時間及び起床時刻に関する情報を得ることができる。同様に、寝具３２の制御部４１は、就寝時刻、寝つき運転時間、睡眠中運転時間、起床運転時間及び起床時刻に関する情報を得ることができる。
【０１９５】
加湿器３１は、睡眠期間中の設定情報に基づき、空気調和機１が寝つき運転を実行しているときに、加湿運転又は送風運転を実行することができる。例えば、夏季には、空気調和機１の寝つき運転中に、加湿器３１は送風運転する。これにより、加湿器３１から就寝者の顔周りに送風され、放熱が促進される。また、冬季には、空気調和機１の寝つき運転中に、加湿器３１は加湿運転する。これにより、就寝者の顔周りの空気が保湿され、就寝者の呼吸を楽にするので、睡眠の質が高まる。
【０１９６】
また、寝具３２は、睡眠期間中の設定情報に基づき、就寝前及び起床後に加温運転する。この加温運転が夏季になされた場合には、寝具３２が除湿され、ダニの発生が抑制される。また、この加温運転が冬季になされた場合には、暖房と同様に、寝つき前に寝具３２が暖められて就寝者は寝つき易く、起床前に寝具３２が暖められて就寝者は起き易くなる。
【０１９７】
また、加湿器３１は、睡眠期間中の設定情報に基づき、空気調和機１が起床運転を実行しているときに、加湿運転又は送風運転を実行することができる。例えば、冬季には、空気調和機１の起床運転中に、加湿器３１は加湿運転する。これにより、就寝者の目覚めを促進することができる。
【０１９８】
また、寝具３２は、睡眠期間中の設定情報に基づき、空気調和機１が起床運転を実行しているときに、加温運転を実行することができる。例えば、冬季には、空気調和機１の起床運転中に、寝具３２は加温運転する。これにより、就寝者の深部温度の上昇が助長される。
【０１９９】
このように、加湿器３１及び寝具３２が空気調和機１と連動して運転することにより、ユーザに対してより満足度の高い睡眠環境を提供することができる。
【０２００】
なお、図示例では、加湿器３１は寝具３２との間で直接通信をする構成となっていないが、加湿器３１が寝具３２との間でデータを直接送受信する構成にしてもよい。
【０２０１】
またＨＥＭＳ（Home  Energy  Management  System）のような図示しない制御装置を家屋に設置した場合には、この制御装置が室内機２、加湿器３１及び寝具３２と相互に通信し、室内機２、加湿器３１及び寝具３２の制御を行うようにしてもよい。
【０２０２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０２０３】
１  空気調和機、２  室内機、４  室外機、５  リモートコントローラ、６，３２  寝具、７  寝室、８，３３，４０  温湿度センサ、９  表面温度センサ、１０，１７，３６，４２  通信部、１１，１８，３５，４１  制御部、１１ａ，１８ａ，３５ａ，４１ａ  演算部、１１ｂ，１８ｂ，３５ｂ，４１ｂ  記憶部、１２，１９  計時部、１５  入力部、１６  表示部、２０  ボタン、２０ｍ  オート睡眠ボタン、２０ａ  暖房ボタン、２０ｂ  冷房ボタン、２０ｃ  送風ボタン、２０ｄ  自動ボタン、２０ｅ  停止ボタン、２０ｆ  温度ボタン、２０ｇ  湿度ボタン、２０ｈ  睡眠ボタン、２０ｉ  寝つきボタン、２０ｊ  睡眠中ボタン、起床ボタン２０ｋ，２０ｐ  確定ボタン、２０ｑ  変更ボタン、２１，２２，２３，２４  表示画面、２２ａ，２２ｂ，２２ｃ，２３ａ，２４ａ，２４ｂ，２４ｃ  入力欄、２２ｄ，２２ｅ，２３ｂ，２４ｄ，２４ｅ  表示欄、３０  空気調和システム、３１  加湿器、３４  睡眠状態検出手段、３７  スチーム吹出し口、３８  送風吹出し口。
【図１】
0006359043.tif 000002
【図２】
0006359043.tif 000003
【図３】
0006359043.tif 000004
【図４】
0006359043.tif 000005
【図５】
0006359043.tif 000006
【図６】
0006359043.tif 000007
【図７】
0006359043.tif 000008
【図８】
0006359043.tif 000009
【図９】
0006359043.tif 000010
【図１０】
0006359043.tif 000011
【図１１】
0006359043.tif 000012
【図１２】
0006359043.tif 000013
【図１３】
0006359043.tif 000014
【図１４】
0006359043.tif 000015
【図１５】
0006359043.tif 000016
【図１６】
0006359043.tif 000017
【図１７】
0006359043.tif 000018
【図１８】
0006359043.tif 000019
【図１９】
0006359043.tif 000020
【図２０】
0006359043.tif 000021
【図２１】
0006359043.tif 000022
【図２２】
0006359043.tif 000023
【図２３】
0006359043.tif 000024